(57)【特許請求の範囲】
【請求項１】
互いに反対側の建物外周部に配置された２個の第１建物ユニットと、これらの第１建物ユニットの間に配置された少なくとも１個の第２建物ユニットとを含んで建てられ、第１建物ユニットと第２建物ユニットの並設方向に複数の内装モジュール芯が等間隔で設けられ、第１建物ユニットと第２建物ユニットとの間の中央部の位置が内装モジュール芯の位置と一致し、この内装モジュール芯と第１建物ユニットの骨組みの第２建物ユニット側端部との間の距離と、第１建物ユニットの骨組みよりも建物外側にある建物ユニットモジュール芯と第１建物ユニットの骨組みの建物外側端部との間の距離とが同じで、かつ、前記建物ユニットモジュール芯と前記複数の内装モジュール芯のうちのこの建物ユニットモジュール芯に最も近い内装モジュール芯との間の距離が、前記内装モジュール芯同士の間隔と異なっているユニット式建物において、第１建物ユニットの骨組みの第１建物ユニットと第２建物ユニットの並設方向における長さを、前記内装モジュール芯同士の間隔の整数倍に建物ユニットモジュール芯と前記複数の内装モジュール芯のうちのこの建物ユニットモジュール芯に最も近い内装モジュール芯との間の距離を加えた値から、前記建物ユニットモジュール芯と第１建物ユニットの骨組みの建物外側端部との間の距離の２倍を差し引いた値とし、第２建物ユニットの骨組みの第１建物ユニットと第２建物ユニットの並設方向における長さを、前記内装モジュール芯同士の間隔の整数倍から、前記建物ユニットモジュール芯と第１建物ユニットの骨組みの建物外側端部との間の距離の２倍を差し引いた値とし、第１建物ユニットの骨組みの第１建物ユニットと第２建物ユニットの並設方向における長さと第２建物ユニットの骨組みの第１建物ユニットと第２建物ユニットの並設方向における長さとが異なることを特徴とするユニット式建物。
【請求項２】
請求項１に記載のユニット式建物において、第２建物ユニットの骨組みの第１建物ユニットと第２建物ユニットの並設方向における長さは、これと同じ方向における第１建物ユニットの骨組みの長さよりも短いことを特徴とするユニット式建物。
【請求項３】
請求項１に記載のユニット式建物において、第２建物ユニットの骨組みの第１建物ユニットと第２建物ユニットの並設方向における長さは、これと同じ方向における第１建物ユニットの骨組みの長さよりも長いことを特徴とするユニット式建物。
【請求項４】
請求項２に記載のユニット式建物において、第１建物ユニットと第２建物ユニットの並設方向に対して直角の水平方向に、第１建物ユニットと第２建物ユニットの並設方向における第１建物ユニットの骨組みの長さと同じ長さの骨組みを有する第３建物ユニットが第２建物ユニットに隣接して配置され、第２建物ユニットと対向する第１建物ユニットの側面と平行になった第３建物ユニットの骨組みの第１建物ユニット側の側面は第１建物ユニットと第２建物ユニットとの間の隙間の延長上にあり、第１建物ユニットの第２および第３建物ユニット側のコーナ部と、第２建物ユニットの第１および第３建物ユニット側のコーナ部と、第３建物ユニットの第１および第２建物ユニット側のコーナ部とが連結部材で連結されていることを特徴とするユニット式建物。
【発明の詳細な説明】
【０００１】
【発明の属する技術分野】
本発明は、複数の建物ユニットの組み合わせで建てられるユニット式建物に関する。
【０００２】
【背景技術】
図５は、建物ユニット１の骨組み２を示す。この骨組み２は、四隅に立設された４本の柱３と、柱３の上端間、下端間に架設された各４本の梁４とでラーメン構造の直方体状に形成されている。図６は、複数の建物ユニット１を組み合わせて建てられたユニット式建物の平面図である。これらの建物ユニット１のうち、外壁材５が取り付けられた２個の建物ユニット１Ａはユニット式建物における互いに反対側の建物外周部に配置された第１建物ユニットであり、これらの第１建物ユニット１Ａの間に、１個または複数個、図示例では１個の第２建物ユニット１Ｆが配置され、第１建物ユニット１Ａの骨組み２と第２建物ユニット１Ｆの骨組み２との間には大きさがＳの隙間６が設けられる。
【０００３】
第１建物ユニット１Ａと第２建物ユニット１Ｆの並設方向には内装モジュール芯ＮＭ１〜ＮＭ１０が等間隔Ａで設けられ、これらの内装モジュール芯は、建物ユニット１Ａ，１Ｆの内部やこれらの建物ユニットの境界部に内壁や間仕切り壁を立設するときの立設位置となるものである。内装モジュール芯ＮＭ７の位置は第１建物ユニット１Ａと第２建物ユニット１Ｆとの間の中央部の位置と一致しており、このため、図７に示す通り、内装モジュール芯ＮＭ７と、第１建物ユニット１Ａの骨組み２の第２建物ユニット１Ｆ側端部２Ａとの間の距離Ｂは、Ｓの半分である。また、第１建物ユニット１Ａの骨組み２よりもユニット式建物外側に建物ユニットモジュール芯ＴＭがあり、この建物ユニットモジュール芯ＴＭと、第１建物ユニット１Ａの骨組み２のユニット式建物外側端部２Ｂとの間の距離はＣで、このＣもＳの半分である。このため、ＢとＣは同じ値になっている。
【０００４】
ここで、建物ユニットモジュール芯とは、複数の建物ユニットを組み合わせてユニット式建物を建てたときに、各建物ユニットの大きさをユニット式建物の寸法との関係で表すための基準位置を言い、内装モジュール芯ＮＭ７は、第１建物ユニット１Ａの第２建物ユニット１Ｆ側の建物ユニットモジュール芯にもなっており、また、第２建物ユニット１Ｆの第１建物ユニット１Ａ側の建物ユニットモジュール芯にもなっている。
【０００５】
一方、建物ユニットモジュール芯ＴＭと、複数の内装モジュール芯ＮＭ１〜ＮＭ１０のうちの建物ユニットモジュール芯ＴＭに最も近い内装モジュール芯ＮＭ１との間の距離はＤで、このＤは内装モジュール芯ＮＭ１〜ＮＭ１０同士の間隔Ａと異なっている。
【０００６】
このことから、第１建物ユニット１Ａと第２建物ユニット１Ｆの並設方向における図７で示す各建物ユニット１の骨組み２の長さＬ１は、Ａの整数倍（図示例では６倍）にＤを加え、さらにこれからＳを差し引いたものになっていた。
【０００７】
以上のように、従来では第１建物ユニット１Ａと第２建物ユニット１Ｆとして同じ大きさの建物ユニットを使用してユニット式建物が組み立てられていた。これは、ユニット式建物の建物外周部に配置される建物ユニットも、建物内部に配置される建物ユニットも同じ建物ユニットを使用した方が管理等の点で有利であると言う理由による。
【０００８】
【発明が解決しようとする課題】
しかし、２個の第１建物ユニット１Ａの間に配置される第２建物ユニット１Ｆの骨組み２の第１建物ユニット１Ａと第２建物ユニット１Ｆの並設方向における長さが、前述の長さであると、図６で示す通り、第２建物ユニット１Ｆの内部において間隔Ａで全部の内装モジュール芯を連続的に設けることができなくなり、Ａとは異なるＥの間隔の部分が生じてしまう。
【０００９】
このような問題は２個の第１建物ユニット１Ａが隣接並設される場合には生じず、２個の第１建物ユニット１Ａの間に１個または複数個の第２建物ユニット１Ｆが配置される場合に生じ、このような問題が生じたときには、従来、他のものとは厚さが異なる内壁、間仕切り壁を立設してＡとＥの差を吸収しなければならなかった。
【００１０】
本発明の目的は、２個の第１建物ユニットの間に第２建物ユニットが配置される場合に、これらの建物ユニットを通して等間隔の内装モジュール芯を連続的に設けることができるようになるユニット式建物を提供するところにある。
【００１１】
【課題を解決するための手段】
本発明に係るユニット式建物は、図面を参照して説明すると、互いに反対側の建物外周部に配置された２個の第１建物ユニット１Ａと、これらの第１建物ユニット１Ａの間に配置された少なくとも１個の第２建物ユニット１Ｂ，１Ｃとを含んで建てられ、第１建物ユニット１Ａと第２建物ユニット１Ｂ，１Ｃの並設方向に複数の内装モジュール芯ＮＭ１・・・が等間隔で設けられ、第１建物ユニット１Ａと第２建物ユニット１Ｂ，１Ｃとの間の中央部の位置が内装モジュール芯ＮＭ７，ＮＭ１３，ＮＭ１４の位置と一致し、この内装モジュール芯ＮＭ７，ＮＭ１３，ＮＭ１４と第１建物ユニット１Ａの骨組み２の第２建物ユニット１Ｂ，１Ｃ側端部２Ａとの間の距離Ｂと、第１建物ユニット１Ａの骨組み２よりも建物外側にある建物ユニットモジュール芯ＴＭと第１建物ユニット１Ａの骨組み２の建物外側端部２Ｂとの間の距離Ｃとが同じで、かつ、前記建物ユニットモジュール芯ＴＭと前記複数の内装モジュール芯ＮＭ１・・・のうちのこの建物ユニットモジュール芯ＴＭに最も近い内装モジュール芯ＮＭ１との間の距離Ｄが、前記内装モジュール芯ＮＭ１・・・同士の間隔Ａと異なっているユニット式建物において、第１建物ユニット１Ａの骨組み２の第１建物ユニット１Ａと第２建物ユニット１Ｂ，１Ｃの並設方向における長さＬ１を、前記内装モジュール芯ＮＭ１・・・同士の間隔Ａの整数倍に建物ユニットモジュール芯ＴＭと前記複数の内装モジュール芯ＮＭ１・・・のうちのこの建物ユニットモジュール芯ＴＭに最も近い内装モジュール芯ＮＭ１との間の距離Ｄを加えた値から、前記建物ユニットモジュール芯ＴＭと第１建物ユニット１Ａの骨組み２の建物外側端部２Ｂとの間の距離Ｃの２倍を差し引いた値とし、第２建物ユニット１Ｂ，１Ｃの骨組み２の第１建物ユニット１Ａと第２建物ユニット１Ｂ，１Ｃの並設方向における長さＬ２，Ｌ３を、前記内装モジュール芯ＮＭ１・・・同士の間隔Ａの整数倍から、前記建物ユニットモジュール芯ＴＭと第１建物ユニット１Ａの骨組み２の建物外側端部２Ｂとの間の距離Ｃの２倍を差し引いた値とし、第１建物ユニット１Ａの骨組み２の第１建物ユニット１Ａと第２建物ユニット１Ｂ，１Ｃの並設方向における長さＬ１と第２建物ユニット１Ｂ，１Ｃの骨組み２の第１建物ユニット１Ａと第２建物ユニット１Ｂ，１Ｃの並設方向における長さＬ２，Ｌ３とが異なることを特徴とするものである。
【００１２】
これによると、第２建物ユニット１Ｂ，１Ｃの骨組み２の第１建物ユニット１Ａと第２建物ユニット１Ｂ，１Ｃの並設方向における長さＬ２，Ｌ３は、第１建物ユニット１Ａの骨組み２の第１建物ユニット１Ａと第２建物ユニット１Ｂ，１Ｃの並設方向における長さＬ１と異なることになり、この長さＬ２，Ｌ３により、第１建物ユニット１Ａと第２建物ユニット１Ｂ，１Ｃを通して各間隔がＡで等間隔となった内装モジュール芯ＮＭ１…が連続的に設けられることになる。
【００１３】
以上において、第２建物ユニット１Ｂ，１Ｃの骨組み２の長さは、第１建物ユニット１Ａの骨組み２の長さＬ１よりも短い長さＬ２でもよく、また、これよりも長い長さＬ３でもよい。
【００１４】
骨組み２の長さＬ２が第１建物ユニット１Ａの長さＬ１よりも短い第２建物ユニット１Ｂを使用し、かつ、第１建物ユニット１Ａと第２建物ユニット１Ｂの並設方向に対して直角の水平方向に、第１建物ユニット１Ａと第２建物ユニット１Ｂの並設方向における第１建物ユニット１Ａの骨組み２の長さＬ１と同じ長さの骨組み２を有する第３建物ユニット１Ｄが第２建物ユニット１Ｂに隣接して配置される場合には、第２建物ユニット１Ｂと対向する第１建物ユニット１Ａの側面２Ｃと平行になった第３建物ユニット１Ｄの骨組み２の第１建物ユニット１Ａ側の側面２Ｄを第１建物ユニット１Ａと第２建物ユニット１Ｂとの間の隙間６の延長上に位置させ、第１建物ユニット１Ａの第２および第３建物ユニット１Ｂ，１Ｄ側のコーナ部７と、第２建物ユニット１Ｂの第１および第３建物ユニット１Ａ，１Ｄ側のコーナ部８と、第３建物ユニット１Ｄの第１および第２建物ユニット１Ａ，１Ｂ側のコーナ部９とを連結部材１０で連結することが好ましい。
【００１５】
これによると、ユニット式建物に横荷重が作用したとき、コーナ部９はコーナ部７，８とほぼ正三角形をなすように配置されているため、コーナ部９からコーナ部７へ、コーナ部７からコーナ部９への横荷重の伝達はコーナ部８を介さず直接的に行われることになり、荷重支持を有効に行える。
【００１８】
以上において、各建物ユニットの骨組みは、図５で示したように４本の柱と上下各４本の梁とで形成されたものでもよく、また、４本の柱と下側の４本の梁とで形成されたものでもよい。
また、２個の第１建物ユニット１Ａの間に配置される第２建物ユニット１Ｂ，１Ｃの個数は１個でもよく、複数個でもよい。複数個の場合には、各建物ユニットの間隔は、第２建物ユニットが１個の場合における第１建物ユニットと第２建物ユニットとの間隔と同じに設定される。
【００１９】
【発明の実施の形態】
以下に本発明の実施形態を説明する。以下の説明では、既に説明した部材等と同じものには同一符号を付し、その説明を簡略または省略する。
【００２０】
図１は第１実施形態を示し、この実施形態では、２個の第１建物ユニット１Ａの間に配置される第２建物ユニット１Ｂの骨組み２の第１建物ユニット１Ａと第２建物ユニット１Ｂの並設方向における長さはＬ２となっており、この長さＬ２は、内装モジュールＮＭ１…同士の間隔Ａの６倍から、図７で示した建物ユニットモジュール芯ＴＭと、第１建物ユニット１Ａの骨組み２の建物外側端部２Ｂとの間の距離Ｃの２倍（すなわち、第１建物ユニット１Ａの骨組み２と第２建物ユニット１Ｂの骨組み２との間の隙間６の大きさＳと同じ寸法）を差し引いた値となっている。
【００２１】
これによると、３個の建物ユニット１Ａ，１Ｂを通して等間隔Ａで連続した内装モジュール芯ＮＭ１〜ＮＭ１９が設けられることになり、内装モジュール芯ＮＭ７とＮＭ１３が第１建物ユニット１Ａと第２建物ユニット１Ｂの間の中央部に位置することになる。
【００２２】
図２は第２実施形態を示し、この実施形態では、２個の第１建物ユニット１Ａの間に配置される第２建物ユニット１Ｃの骨組み２の第１建物ユニット１Ａと第２建物ユニット１Ｃの並設方向における長さはＬ３となっており、この長さＬ３は、内装モジュールＮＭ１…同士の間隔Ａの７倍から、図７で示した建物ユニットモジュール芯ＴＭと、第１建物ユニット１Ａの骨組み２の建物外側端部２Ｂとの間の距離Ｃの２倍を差し引いた値となっている。
【００２３】
これによると、３個の建物ユニット１Ａ，１Ｂを通して等間隔Ａで連続した内装モジュール芯ＮＭ１〜ＮＭ２０が設けられることになり、内装モジュール芯ＮＭ７とＮＭ１４が第１建物ユニット１Ａと第２建物ユニット１Ｂの間の中央部に位置することになる。
【００２４】
以上の長さＬ２は第１建物ユニット１Ａの長さＬ１よりも短く、長さＬ３は長さＬ１よりも長い。いずれにしても、内装モジュール芯同士の間隔Ａの整数倍からＣの２倍を差し引いた値としておくことにより、内装モジュール芯を等間隔で連続させることができる。
【００２５】
図３は、第２建物ユニット１Ｂに隣接させて第１建物ユニット１Ａと同じ大きさの第３建物ユニット１Ｄを配置した場合を示す。すなわち、この実施形態におけるユニット式建物は２個の第１建物ユニット１Ａと、各１個の第２、第３、第４建物ユニット１Ｂ，１Ｄ，１Ｅとで構成され、第３建物ユニット１Ｄと第４建物ユニット１Ｅは第１建物ユニット１Ａと同じ大きさであり、第１建物ユニット１Ａと第２建物ユニット１Ｂの並設方向に対して直角の水平方向に、第１建物ユニット１Ａと第２建物ユニット１Ｂの並設方向における第１建物ユニット１Ａの骨組み２の長さＬ１と同じ長さの骨組み２を有する第３建物ユニット１Ｄが、第２建物ユニット１Ｂに隣接して配置されている。第２建物ユニット１Ｂと対向する第１建物ユニット１Ａの側面２Ｃと平行になった第３建物ユニット１Ｄの骨組み２の第１建物ユニット１Ａ側の側面２Ｄを第１建物ユニット１Ａと第２建物ユニット１Ｂとの間の隙間６の延長上に位置させ、図４に示す通り、第１建物ユニット１Ａの第２および第３建物ユニット１Ｂ，１Ｄ側のコーナ部７と、第２建物ユニット１Ｂの第１および第３建物ユニット１Ａ，１Ｄ側のコーナ部８と、第３建物ユニット１Ｄの第１および第２建物ユニット１Ａ，１Ｂ側のコーナ部９とを連結部材１０で連結する。
【００２６】
この連結は、各コーナ部７〜９に植設した位置決めピン１１を板状の連結部材１０に挿通し、さらにコーナ部７〜９と連結部材１０とをボルト１２で結合することにより行う。
【００２７】
このように第１〜第３建物ユニット１Ａ，１Ｂ，１Ｄのコーナ部７〜９同士を連結すると、コーナ部９はコーナ部７，８とほぼ正三角形をなすように配置されることになるため、ユニット式建物に横荷重が作用したとき、コーナ部９からコーナ部７へ、およびコーナ部７からコーナ部９への横荷重の伝達はコーナ部８を介さず直接的に行われることになり、すなわち、コーナ部７と９間の荷重伝達はコーナ部８と９間の荷重伝達と同様に直接的となり、荷重支持を有効に行える。
【００２８】
【発明の効果】
本発明によれば、ユニット式建物内に複数の内装モジュール芯を等間隔で連続的に設けることができるようになるという効果を得られる。
【図面の簡単な説明】
【図１】本発明の第１実施形態に係るユニット式建物の一部を示す平面図である。
【図２】本発明の第２実施形態に係るユニット式建物の一部を示す平面図である。
【図３】本発明の第３実施形態に係るユニット式建物を示す平面図である。
【図４】図３の一部拡大の平面図である。
【図５】建物ユニットの骨組みを示す斜視図である。
【図６】従来例を示す図１、図２と同様の図である。
【図７】図６の一部拡大の平面図である。
【符号の説明】
１  建物ユニット
１Ａ  第１建物ユニット
１Ｂ，１Ｃ  第２建物ユニット
１Ｄ  第３建物ユニット
２  骨組み
２Ａ  骨組みの第２建物ユニット側端部
２Ｂ  骨組みの建物外側端部
６  隙間
７〜９コーナ部
１０  連結部材
ＮＭ１〜ＮＭ２０  内装モジュール芯
ＴＭ  建物ユニットモジュール芯
Ａ  内装モジュール芯同士の間隔
Ｓ  隙間の大きさ
【図１】
0003776515.tif 000002
【図２】
0003776515.tif 000003
【図３】
0003776515.tif 000004
【図４】
0003776515.tif 000005
【図５】
0003776515.tif 000006
【図６】
0003776515.tif 000007
【図７】
0003776515.tif 000008